(57)【要約】【課題】ディスプレイが宙に浮いているような外観を有する電子機器を提供する。【解決手段】電子機器１は、ディスプレイ６と、ディスプレイ６の表示面を覆う第１透明板と、ディスプレイ６の非表示面を覆う第２透明板と、第２透明板とディスプレイ６との間に配置された膜状部材と、を備える。第１透明板、第２透明板、及び膜状部材は、表示面側から見て、ディスプレイ６に重なる第１領域とディスプレイ６に重ならない第２領域とを有する。膜状部材は第２領域に配置されたタッチセンサ部と、第１領域に配置された配線集約部とを有する。【選択図】図１
2020035317.tif 000002
【特許請求の範囲】
【請求項１】
ディスプレイと、
前記ディスプレイの表示面を覆う第１透明板と、
前記ディスプレイの非表示面を覆う第２透明板と、
前記第２透明板と前記ディスプレイとの間に配置され、透明なフィルムに形成されたタッチセンサ部および配線集約部を有する膜状部材と、を備え、
前記第１透明板、前記第２透明板、及び前記膜状部材は、前記表示面側から見て、前記ディスプレイに重なる第１領域と前記ディスプレイに重ならない第２領域とを有し、
前記タッチセンサ部は前記第２領域に配置され、前記配線集約部は前記第１領域に配置される、電子機器。
【請求項２】
前記膜状部材は、前記第２透明板の全面を覆っている、請求項１に記載の電子機器。
【請求項３】
前記第２透明板は、少なくとも一部が前記第１領域に重なる有色層を有する、請求項１又は２に記載の電子機器。
【請求項４】
前記タッチセンサ部は、第１配線と、前記第１配線と交差しかつ絶縁体を介して前記第１配線と電気的に絶縁された第２配線とを有し、
前記第１配線は、略直交する方向に曲がった曲げ部を経由して前記配線集約部に電気的に接続される、請求項１から３のいずれか一項に記載の電子機器。
【請求項５】
前記第１配線は前記フィルムの前記表示面側に形成され、前記第２配線は前記フィルムの前記非表示面側に形成され、前記絶縁体はフィルムである、請求項４に記載の電子機器。
【請求項６】
前記第１配線および前記第２配線は、幅１０μｍ以下の金属細線により構成されている、請求項４又は５に記載の電子機器。
【請求項７】
前記膜状部材は、接地回路に接続されたグランド部をさらに備え、
前記グランド部は、前記非表示面側から前記曲げ部を覆っている、請求項４から６のいずれか一項に記載の電子機器。
【請求項８】
前記ディスプレイ、前記第１透明板、前記第２透明板、および前記膜状部材を有する第２本体部と、
前記第２本体部に対して移動可能な第１本体部と、を備え、
前記第１本体部には、前記第２本体部が前記第１本体部に重ねられたときに、前記第１透明板、前記第２透明板、および前記膜状部材を通して視認可能なサブディスプレイが設けられ、
前記タッチセンサ部は、前記第２本体部が前記第１本体部に重ねられたときに、前記サブディスプレイと重なる位置に配置されている、請求項１から７のいずれか一項に記載の電子機器。
【請求項９】
ディスプレイと、
前記ディスプレイの表示面を覆う第１透明板と、
前記ディスプレイの非表示面を覆う第２透明板と、
前記第２透明板と前記ディスプレイとの間に配置され、透明なフィルムに形成されたタッチセンサ部および配線集約部を有する膜状部材と、を備え、
前記タッチセンサ部は、互いに交差する方向に延びる複数の第１配線および複数の第２配線を有し、
少なくとも一部の前記第１配線には、当該第１配線が延びる第１方向の端部において、前記第１方向に略直交する第２方向に曲がった曲げ部が形成されている、電子機器。
【請求項１０】
前記第１配線および前記第２配線は、幅１０μｍ以下の金属細線により構成されている、請求項９に記載の電子機器。
【請求項１１】
前記膜状部材は、接地回路に接続されたグランド部をさらに備え、
前記グランド部は、前記非表示面側から前記曲げ部を覆っている、請求項９または１０に記載の電子機器。
【発明の詳細な説明】
【技術分野】
【０００１】
本発明は、電子機器に関する。
【背景技術】
【０００２】
従来から、下記特許文献１に示されるような、第１本体部と、第１本体部に対して移動可能な第２本体部と、を備えた電子機器が用いられている。
【先行技術文献】
【特許文献】
【０００３】
【特許文献１】特許第５９６９６４３号公報
【発明の概要】
【発明が解決しようとする課題】
【０００４】
このような電子機器では、ディスプレイとフレームとの間の部分は不透明に形成されるのが一般的な構成である。
【０００５】
本発明はこのような事情を考慮してなされ、ディスプレイが宙に浮いているような外観を有する電子機器を提供することを目的とする。
【課題を解決するための手段】
【０００６】
上記課題を解決するために、本発明の第１の態様に係る電子機器は、ディスプレイと、前記ディスプレイの表示面を覆う第１透明板と、前記ディスプレイの非表示面を覆う第２透明板と、前記第２透明板と前記ディスプレイとの間に配置され、透明なフィルムに形成されたタッチセンサ部および配線集約部を有する膜状部材と、を備え、前記第１透明板、前記第２透明板、及び前記膜状部材は、前記表示面側から見て、前記ディスプレイに重なる第１領域と前記ディスプレイに重ならない第２領域とを有し、前記タッチセンサ部は前記第２領域に配置され、前記配線集約部は前記第１領域に配置される。
【０００７】
また、本発明の第２の態様に係る電子機器は、ディスプレイと、前記ディスプレイの表示面を覆う第１透明板と、前記ディスプレイの非表示面を覆う第２透明板と、前記第２透明板と前記ディスプレイとの間に配置され、透明なフィルムに形成されたタッチセンサ部および配線集約部を有する膜状部材と、を備え、前記タッチセンサ部は、互いに交差する方向に延びる複数の第１配線および複数の第２配線を有し、少なくとも一部の前記第１配線には、当該第１配線が延びる第１方向の端部において、前記第１方向に略直交する第２方向に曲がった曲げ部が形成されている。
【発明の効果】
【０００８】
本発明の上記態様によれば、ディスプレイと、ディスプレイを挟む第１透明板および第２透明板と、を備えているため、ディスプレイが宙に浮いているような外観を有する電子機器を提供することができる。
【図面の簡単な説明】
【０００９】
【図１】本実施形態に係る電子機器の斜視図である。
【図２】図１の第２本体部の分解斜視図である。
【図３】図１のＩＩＩ−ＩＩＩ断面矢視図である。
【図４】図１のＩＶ−ＩＶ断面矢視図である。
【図５】図１の第２本体部を閉状態として、第２本体部側から電子機器を見た図である。
【図６】（ａ）はタッチセンサの構成例を示す概略図であり、（ｂ）はタッチセンサの他の構成例を示す概略図である。
【図７】第１領域および第２領域を説明する図である。
【図８】図１の電子機器を使用する際の様子を示す概略図であり、（ａ）は第２本体部が開状態の場合、（ｂ）は第２本体部が閉状態の場合である。
【図９】図５のタッチセンサ部の構成を説明するための概略図である。
【発明を実施するための形態】
【００１０】
以下、本実施形態の電子機器について図面に基づいて説明する。
図１に示すように、電子機器１は、第１本体部２と第２本体部３とを有する、いわゆるクラムシェル型（ノート型）のパーソナルコンピュータである。第１本体部２と第２本体部３とは、第２本体部３が第１本体部２に対して開いた状態と閉じた状態との間で、ヒンジ２５回りに相対的に移動可能となっている。すなわち、第２本体部３と第１本体部２とは、互いに重ね合わされることが可能となっている。
なお、本実施形態を、ノート型ＰＣに限らず、タブレット端末や携帯電話などの電子機器に適用してもよい。
【００１１】
（方向定義）
本実施形態では、ＸＹＺ直交座標系を設定して各構成の位置関係を説明する。以下、Ｘ軸に沿う方向を左右方向Ｘといい、Ｙ軸に沿う方向を前後方向Ｙといい、Ｚ軸に沿う方向を上下方向Ｚという。また、左右方向Ｘにおける一方側を＋Ｘ側（左側）といい、他方側を−Ｘ側（右側）という。前後方向Ｙにおける一方側を＋Ｙ側（後側）といい、他方側を−Ｙ側（前側）という。上下方向における一方側を＋Ｚ側（上側）、他方側を−Ｚ側（下側）という。
第２本体部３は、ディスプレイ６を備えている。ディスプレイ６は、表示面および非表示面を有している。図１では、−Ｙ側がディスプレイ６の表示面側であり、＋Ｙ側がディスプレイ６の非表示面側である。
【００１２】
ヒンジ２５は、第２本体部３の−Ｚ側の端部と第１本体部２の＋Ｙ側の端部を連結しており、左右方向Ｘに延びている。ヒンジ２５により、第２本体部３は、第１本体部２に対して開状態と閉状態との間で回転移動可能となっている。なお、閉状態とは、第２本体部３と第１本体部２とが重ね合わされた状態をいう。開状態とは、第２本体部３が閉状態から所定量以上移動し、後述するサブディスプレイ２ｂが露出した状態をいう。
なお、以下の説明では、特別な言及が無い限り、第２本体部３が上下方向Ｚおよび左右方向Ｘに延びた姿勢についての各部の位置関係を説明する。
【００１３】
（第１本体部）
第１本体部２は、左右方向Ｘおよび前後方向Ｙに延びる扁平な形状の筐体を有している。筐体の内部には、マザーボード（基板）やバッテリなどが設けられている。第１本体部２は、ヒンジ２５を介して、第２本体部３に対して回動可能に連結されている。なお、第１本体部２と第２本体部３とは分離可能であってもよい。
【００１４】
第１本体部２には、入力部２ａと、サブディスプレイ２ｂと、検出部２ｃと、タッチセンサ２ｄ（第１タッチセンサ）と、制御部２ｅと、が設けられている。
入力部２ａは、キーボードなどである。
サブディスプレイ２ｂは、液晶ディスプレイ（LCD: liquid crystal display）や有機ＥＬ(electro luminescence）ディスプレイなどである。サブディスプレイ２ｂは、左右方向Ｘに長く、前後方向Ｙに短い長方形状となっている。サブディスプレイ２ｂは、入力部２ａよりも＋Ｙ側に位置している。換言すると、サブディスプレイ２ｂは、入力部２ａよりもヒンジ２５に近い位置に配置されている。
【００１５】
タッチセンサ２ｄは、サブディスプレイ２ｂと重なる位置に配されている。より詳しくは、サブディスプレイ２ｂは＋Ｚ側からカバーガラスにより覆われており、当該カバーガラスの−Ｚ側の表面にタッチセンサ２ｄが貼り付けられている。したがって、タッチセンサ２ｄは、サブディスプレイ２ｂを＋Ｚ側から覆っている。サブディスプレイ２ｂとタッチセンサ２ｄとにより、１つのタッチパネルが構成されている。
タッチセンサ２ｄは、使用者が触れた位置を検出可能に構成されている。また、タッチセンサ２ｄは透明であり、タッチセンサ２ｄを通してサブディスプレイ２ｂを視認可能となっている。
【００１６】
図１に示す制御部２ｅは、検出部２ｃの検出結果に基づき、タッチセンサ２ｄおよびタッチセンサ部３ｂ（後述）を制御し、有効（ＯＮ）と無効（ＯＦＦ）とを切り替える。制御部２ｅは、マザーボードの一部であってもよいし、マザーボードとは別の基板の一部などであってもよい。
【００１７】
検出部２ｃは、第２本体部３の開状態および閉状態を検出する。検出部２ｃは、第１本体部２の−Ｙ側の端部に配置されている。第２本体部３の＋Ｚ側の端部には、検知対象部３ａが設けられている。検出部２ｃおよび検知対象部３ａは、左右方向Ｘにおいて同じ位置に配置されている。このため、第２本体部３が閉状態となったときに、第１本体部２の検出部２ｃと第２本体部３の検知対象部３ａとが互いに対向する。検出部２ｃとしては、ホールセンサなどの磁気センサを用いることができる。検知対象部３ａとしては、磁石を用いることができる。検出部２ｃは、第２本体部３が開状態と閉状態との間で移動することに伴う、検知対象部３ａが生じさせる磁場の変化を検出することで、第２本体部３の開状態および閉状態を検知することができる。
【００１８】
なお、検出部２ｃが第２本体部３に設けられ、検知対象部３ａが第１本体部２に設けられていてもよい。あるいは、検出部２ｃとして、磁気センサ以外の方式のセンサ（例えば赤外線センサなど）を用いてもよい。
【００１９】
（第２本体部）
第２本体部３は、ディスプレイ６を備えている。ディスプレイ６は、液晶ディスプレイや有機ＥＬディスプレイなどである。ディスプレイ６には、配線７が接続されている。配線７を通じて、ディスプレイ６と第１本体部２のマザーボード等とが電気的に接続されている。
【００２０】
第２本体部３は透明領域Ａを有している。第２本体部３を前後方向Ｙから見ると、配線７が接続された部分を除き、ディスプレイ６が透明領域Ａに囲われる。これにより、ディスプレイ６が宙に浮いているような外観となる。
【００２１】
図２に示すように、第２本体部３は、第１透明板４と、透明部材１０と、フレーム体２０と、第２透明板５と、ディスプレイ６と、膜状部材３０と、を有している。透明領域Ａは、第１透明板４、透明部材１０、膜状部材３０、および第２透明板５が前後方向Ｙに重ねられた構造となっている。
【００２２】
第１透明板４および第２透明板５は、フレーム体２０、透明部材１０、およびディスプレイ６を前後方向Ｙで挟んでいる。第１透明板４はディスプレイ６よりも−Ｙ側に位置し、第２透明板５はディスプレイ６よりも＋Ｙ側に位置している。第１透明板４はディスプレイ６の表示面（−Ｙ側の面）を覆っている。第２透明板５はディスプレイ６の非表示面（＋Ｙ側の面）を覆っている。
第１透明板４および第２透明板５は、上下方向Ｚおよび左右方向Ｘに延びる透明な板状に形成されている。本実施形態では、第１透明板４および第２透明板５は、前後方向Ｙから見て長方形状に形成されている。第１透明板４および第２透明板５としては、ガラスや透明の樹脂などを用いることができる。
【００２３】
フレーム体２０は、アルミニウム合金やマグネシウム合金などの金属材料や繊維強化プラスチックなどにより形成されている。フレーム体２０は、右フレーム２１と、上フレーム２２と、左フレーム２３と、下フレーム２４と、を有している。各部２１〜２４により、フレーム体２０は、前後方向Ｙから見て長方形の枠状に形成されている。右フレーム２１および左フレーム２３は上下方向Ｚに延びており、上フレーム２２および下フレーム２４は左右方向Ｘに延びている。上フレーム２２は、右フレーム２１および左フレーム２３の＋Ｚ側端部同士を接続している。下フレーム２４は、右フレーム２１および左フレーム２３の−Ｚ側端部同士を接続している。
【００２４】
下フレーム２４の−Ｚ側端部には、ヒンジ２５が設けられている。
図３に示すように、フレーム体２０には、第１凹部２０ａおよび第２凹部２０ｂが形成されている。第１凹部２０ａは、フレーム体２０の＋Ｙ側の端面から、−Ｙ側に向けて窪んでいる。第２凹部２０ｂは、フレーム体２０の−Ｙ側の端面から、＋Ｙ側に向けて窪んでいる。第１凹部２０ａおよび第２凹部２０ｂは、フレーム体２０の各部２１〜２４に沿って形成されている。このため、凹部２０ａ、２０ｂは、前後方向Ｙから見て長方形の枠状に形成されている。
【００２５】
凹部２０ａ、２０ｂは、右フレーム２１の＋Ｘ側の端部、上フレーム２２の−Ｚ側の端部、左フレーム２３の−Ｘ側の端部、および下フレーム２４の＋Ｚ側の端部に形成されている。凹部２０ａ、２０ｂの左右方向Ｘの寸法は、第１透明板４および第２透明板５の左右方向Ｘの寸法よりも大きい。凹部２０ａ、２０ｂの上下方向Ｚの寸法は、第１透明板４および第２透明板５の上下方向Ｚの寸法よりも大きい。
【００２６】
第１透明板４の少なくとも一部は、第１凹部２０ａの内側に位置している。第１透明板４は、接着剤８によって、第１凹部２０ａの内面に接着されている。接着剤８としては、紫外線硬化型樹脂、熱硬化型樹脂、熱可塑性樹脂、両面テープなどを用いることができる。図３の例では、第１凹部２０ａの＋Ｙ側を向く内面に接着剤８が設けられている。ただし接着剤８は、第１凹部２０ａの左右方向Ｘを向く内面に設けられていてもよい。
【００２７】
図２、図７に示すように、第２透明板５は、少なくとも一部が後述する第１領域Ｐ１に重なる有色層５ａを有している。有色層５ａは、例えば印刷によって形成される。有色層５ａは、第２透明板５の−Ｙ側の表面あるいは＋Ｙ側の表面に形成される。なお、有色層５ａを第２透明板５の−Ｙ側の表面に形成した場合、使用者などが接触することなどによる有色層５ａの剥離を抑制することができる。
【００２８】
図３に示すように、第２透明板５の−Ｙ側の表面に、膜状部材３０が接着されて固定されている。有色層５ａが第２透明板５の−Ｙ側の表面に形成されている場合には、有色層５ａの上から膜状部材３０が第２透明板５に固定される。第２透明板５の少なくとも一部は、第２凹部２０ｂの内側に位置している。第２透明板５は、膜状部材３０を介して、接着剤８によって第２凹部２０ｂの内面に接着されている。図３の例では、第２凹部２０ｂの−Ｙ側を向く内面に接着剤８が設けられている。ただし接着剤８は、第２凹部２０ｂの左右方向Ｘを向く内面に設けられていてもよい。
複数の接着剤８によって、第１透明板４および第２透明板５は、フレーム体２０に対して接着および固定されている。本実施形態では、第１透明板４の全体が第１凹部２０ａの内側に位置しており、第２透明板５の全体が第２凹部２０ｂの内側に位置している。
【００２９】
ディスプレイ６は、第１透明板４に固定されている。ディスプレイ６は、液晶ディスプレイや有機ＥＬディスプレイなどである。第１透明板４を通して、使用者は、ディスプレイ６を視認することができる。ディスプレイ６は、前後方向Ｙから見て長方形状に形成されている。配線７は、ディスプレイ６に接続されている。配線７とディスプレイ６とを接続する作業は、ディスプレイ６、第１透明板４、および透明部材１０をフレーム体２０に組み付けた後で行うことができる。このため、ディスプレイ６を第１透明板４に固定しても、配線７を透明部材１０の配線収容部１４ａ（後述）内に収容することができる。
【００３０】
なお、第２本体部３自体をタッチパネルとして用いる場合には、ディスプレイ６と第１透明板との間に、タッチセンサ３ｃを設けてもよい（図２参照）。なお、図２などではタッチセンサ３ｃのアクティブエリアを破線で示している。タッチセンサ３ｃのアクティブエリアは、ディスプレイのアクティブエリアより大きい。また、タッチセンサ３ｃの配線集約部は、タッチセンサ３ｃのアクティブエリアの周囲に配置され、有色のベゼル部により隠される。ただし、ベゼル部は透明領域Ａの内側に位置する。
【００３１】
透明部材１０は、透明な樹脂により形成されている。透明部材１０の材質としては、ポリカーボネート（PC: polycarbonate）やアクリル（PMMA: Poly Methyl Methacrylate）などを用いることができる。透明部材１０は、射出成型により形成されてもよいし、切削加工により形成されてもよい。
【００３２】
図２に示すように、透明部材１０は、ディスプレイ６を囲う囲繞部１０ａを有している。本実施形態では、長方形状のディスプレイ６を囲うように、囲繞部１０ａが長方形の枠状に形成されている。囲繞部１０ａは、右側部１１と、上側部１２と、左側部１３と、下側部１４と、を有している。右側部１１、上側部１２、左側部１３、および下側部１４は、一体に形成されている。すなわち、囲繞部１０ａは一体に形成されている。
【００３３】
右側部１１と左側部１３との間の左右方向Ｘにおける間隔は、ディスプレイ６の左右方向Ｘにおける寸法よりも大きい。上側部１２と下側部１４との間の上下方向Ｚにおける間隔は、ディスプレイ６の上下方向Ｚにおける寸法よりも大きい。
透明部材１０の左右方向Ｘにおける大きさは、フレーム体２０における右フレーム２１と左フレーム２３との間の左右方向Ｘにおける間隔よりも小さい。透明部材１０の上下方向Ｚにおける大きさは、フレーム体２０における上フレーム２２と下フレーム２４との間の上下方向Ｚにおける間隔よりも小さい。
【００３４】
右側部１１はディスプレイ６の−Ｘ側に位置し、上側部１２はディスプレイ６の＋Ｚ側に位置し、左側部１３はディスプレイ６の＋Ｘ側に位置し、下側部１４はディスプレイ６の−Ｚ側に位置している。
右側部１１および左側部１３は上下方向Ｚに延びており、上側部１２および下側部１４は左右方向Ｘに延びている。上側部１２は、右側部１１および左側部１３の＋Ｚ側端部同士を接続している。下側部１４は、右側部１１および左側部１３の−Ｚ側端部同士を接続している。
【００３５】
下側部１４の上下方向Ｚにおける幅は、上側部１２の上下方向Ｚにおける幅よりも大きい。また、下側部１４の上下方向Ｚにおける幅は、右側部１１および左側部１３の左右方向Ｘにおける幅よりも大きい。つまり、下側部１４の幅は、囲繞部１０ａにおける他の部分１１〜１３の幅よりも大きくなっている。
【００３６】
下側部１４には、配線収容部１４ａが設けられている。配線収容部１４ａは、下側部１４に形成された凹部である。配線収容部１４ａは、下側部１４の＋Ｙ側の端面から、−Ｙ側に向けて窪んでいる。配線収容部１４ａは、下側部１４の左右方向Ｘにおける端部に位置している。配線収容部１４ａは、下側部１４の＋Ｚ側端面から−Ｚ側端面にかけて、上下方向Ｚに延びている。つまり、配線収容部１４ａは、下側部１４を上下方向Ｚに横断するように形成されている。
【００３７】
図４に示すように、配線収容部１４ａの左右方向Ｘにおける幅は、配線７の左右方向Ｘにおける幅よりも大きい。配線収容部１４ａの前後方向Ｙにおける幅（深さ）は、配線７の前後方向Ｙにおける厚みよりも大きい。配線収容部１４ａの内側に、配線７の少なくとも一部が位置している。
【００３８】
なお、配線収容部１４ａの前後方向Ｙにおける幅は、配線７の前後方向Ｙにおける厚みより小さくてもよい。この場合でも、例えば透明部材１０と第２透明板５との間に前後方向Ｙの隙間を設けて、配線収容部１４ａと第２透明板５とにより形成される空間に配線７を収容することができる。
【００３９】
図３に示すように、囲繞部１０ａのうち、ディスプレイ６を向く内面１０ｂには薄膜１０ｃが形成されている。なお、内面１０ｂには、右側部１１の＋Ｘ側端面、上側部１２の−Ｚ側端面、左側部１３の−Ｘ側端面、および下側部１４の＋Ｚ側端面が含まれる。薄膜１０ｃの材質としては、アルミニウムなどの金属が好適である。薄膜１０ｃは、例えば蒸着やメッキなどにより、内面１０ｂの表面に形成することができる。内面１０ｂの表面に薄膜１０ｃによる反射面を形成することで、ディスプレイ６の端面などが、透明部材１０を通して視認されにくくなる。なお、コーティング加工に限らず、例えば内面１０ｂを鏡面磨きすることで、内面１０ｂ自体に反射面を形成してもよい。
【００４０】
透明部材１０は、枠状に形成されたフレーム体２０の内側に位置している。また、ディスプレイ６は、枠状に形成された透明部材１０の内側に位置している。そして、透明部材１０およびディスプレイ６は、第１透明板４および第２透明板５によって前後方向Ｙで挟まれている。
以上の構成により、透明部材１０は、フレーム体２０、ディスプレイ６、第１透明板４、および第２透明板５により形成された隙間を埋めるように設けられている。
【００４１】
図５は、図１に示す状態から第２本体部３をヒンジ２５回りに回動させて、第２本体部３と第１本体部２とを重ね合わせた状態を示している。
図５に示すように、第２本体部３と第１本体部２とを重ね合わせたときに、透明領域Ａおよびサブディスプレイ２ｂの位置が互いに一致する。より詳しくは、第１透明板４、透明部材１０の下側部１４、および第２透明板５が重なり合った部分が、サブディスプレイ２ｂを覆った状態となる。このため、使用者は、透明領域Ａを通して、サブディスプレイ２ｂを視認することができる。
【００４２】
ここで、図１に示すように、第２本体部３にはタッチセンサ３ｂ（第２タッチセンサ）およびタッチセンサ３ｃ（第３タッチセンサ）が設けられている。タッチセンサ３ｂ、３ｃは、使用者が触れた位置を検出可能に構成されている。また、タッチセンサ３ｂ、３ｃは透明である。タッチセンサ３ｂ、３ｃとしては、タッチセンサ２ｄと同様に、静電容量方式のセンサを用いることができる。
【００４３】
タッチセンサ２ｄ、３ｂ、３ｃとしては、例えば図６（ａ）、（ｂ）に示すような、静電容量方式のセンサを用いることができる。図６（ａ）、（ｂ）では、センサは、複数の配線ｄ１、ｄ２を有している。配線ｄ１と配線ｄ２とは絶縁されている。複数の配線ｄ１は、前後方向Ｙに延びるとともに、左右方向Ｘに並べて配置されている。複数の配線ｄ２は、左右方向Ｘに延びるとともに、前後方向Ｙに並べて配置されている。このように配線ｄ１と配線ｄ２とは、互いに交差（略直交）する方向に延びており、上下方向Ｚから見て複数の交点を形成している。交点における静電容量は、使用者が触れた際に変化する。このため、静電容量の変化を検出することで、使用者が触れた部位を特定することができる。
【００４４】
図６（ａ）の例では、配線ｄ１および配線ｄ２は直線状に形成されている。配線ｄ１および配線ｄ２としては、極細（例えば幅１〜１０μｍ程度）の銅線のメッシュや、ＩＴＯ（Indium Tin Oxide：酸化インジウムスズ）のタイルを用いることができる。図６（ａ）の場合、例えば１つの絶縁体膜の一方の面に複数の配線ｄ１を形成し、他方の面に複数の配線ｄ２を形成してもよい。あるいは、配線ｄ１が形成された絶縁体膜と、配線ｄ２が形成された絶縁体膜と、を重ね合わせてもよい。これらの構成により、配線ｄ１と配線ｄ２とを絶縁しつつ、配線ｄ１と配線ｄ２との間で静電容量を生じさせることができる。図６（ａ）の構成では、１つのタッチセンサが、複数の配線ｄ１を含む電極層と、複数の配線ｄ２を含む電極層と、の２つの電極層を有する。
【００４５】
図６（ｂ）の例では、配線ｄ１および配線ｄ２は、複数の矩形部が連結された形状を有している。配線ｄ１と配線ｄ２との交点において、配線ｄ１の矩形部同士は、ブリッジ配線Ｂにより接続されている。ブリッジ配線Ｂと配線ｄ２との間に、絶縁体Ｉを設けることで、配線ｄ１と配線ｄ２とを絶縁しつつ、配線ｄ１と配線ｄ２との間で静電容量を生じさせることができる。図６（ｂ）の構成では、１つのタッチセンサが、複数の配線ｄ１および複数の配線ｄ２を含む１つの電極層を有する。
【００４６】
タッチセンサ３ｃは、ディスプレイ６を表示面側（−Ｙ側）から見たときに、ディスプレイ６と重なる位置に配置されている。タッチセンサ３ｃは、第１透明板４（図２参照）の＋Ｙ側の表面に設けられている。使用者は、第１透明板４およびタッチセンサ３ｃを通して、ディスプレイ６を視認可能となっている。このため、使用者は、タッチセンサ３ｃおよびディスプレイ６を１つのタッチパネルとして用いることができる。この場合、第１透明板４がタッチセンサ３ｃのカバーガラスとして機能する。つまり、使用者は第１透明板４の表面に触れることで、タッチセンサ３ｃを操作することができる。
【００４７】
タッチセンサ３ｂは、透明な膜状部材３０の一部に構成されている。膜状部材３０は、透明なフィルムを有しており、当該フィルムにタッチセンサ３ｂが形成されている。膜状部材３０のフィルムは、ガラスフィルムであってもよいし、プラスチックフィルムであってもよい。膜状部材３０は、第２透明板５の−Ｙ側表面（ディスプレイ６の表示面側）の全面にわたって貼り付けられている。これにより、膜状部材３０は第２透明板５の全面を覆っている。タッチセンサ３ｂは、膜状部材３０のうち、ディスプレイ６よりも−Ｚ側の部分に位置している。タッチセンサ３ｂは、透明部材１０の下側部１４の一部と重なっている。タッチセンサ３ｂは、透明領域Ａの一部に配置されている。
【００４８】
図５に示すように、タッチセンサ３ｂは、第２本体部３が閉状態において、上下方向Ｚから見たときにサブディスプレイ２ｂと重なる位置に配置されている。タッチセンサ３ｂは透明であるため、第２本体部３が閉状態において、タッチセンサ３ｂを通してサブディスプレイ２ｂを視認可能となっている。このため使用者は、図８（ｂ）に示すように、タッチセンサ３ｂおよびサブディスプレイ２ｂを１つのタッチパネルとして用いることができる。この場合、第２透明板５がタッチセンサ３ｂのカバーガラスとして機能する。つまり、使用者は第２透明板５の表面に触れることで、タッチセンサ３ｂを操作することができる。一方、第２本体部３が開状態の場合には、図８（ａ）に示すように、タッチセンサ２ｄおよびサブディスプレイ２ｂを１つのタッチパネルとして用いることができる。つまり、本実施形態の電子機器１では、第２本体部３が開状態であっても閉状態であってもサブディスプレイ２ｂをタッチパネルとして操作することができる。
【００４９】
本実施形態では、タッチセンサ３ｂとして、図６（ａ）に示すような静電容量方式のセンサを採用している。以下、タッチセンサ３ｂのより詳細な構成について、図９を用いて説明する。なお、以下のタッチセンサ３ｂについての説明は、第２本体部３が閉状態（タッチセンサ３ｂが左右方向Ｘおよび前後方向Ｙに延びた状態）にある場合として説明する。
図９に示すように、タッチセンサ３ｂは、複数の第１配線３１と、複数の第２配線３２と、を有している。第１配線３１および第２配線３２としては、極細（例えば幅１０μｍ以下）の銅線（金属細線）や、透明電極を用いることができる。透明電極の材料としては、ＩＴＯ（Indium Tin Oxide：酸化インジウムスズ）を用いることができる。
【００５０】
第１配線３１と第２配線３２とは、互いに絶縁されている。より詳しくは、膜状部材３０が有するフィルムは絶縁体により形成されている。そして、当該フィルムのうち第１透明板４側（ディスプレイ６の表示面側）の表面に第１配線３１が形成され、第２透明板５側（ディスプレイ６の非表示面側）の表面に第２配線３２が形成されている。したがって、第１配線３１と第２配線３２とは、膜状部材３０が有するフィルム（絶縁体）を介して、電気的に絶縁されている。
【００５１】
第１配線３１は、左右方向Ｘに延びるとともに、前後方向Ｙに間隔を空けて配置されている。第２配線３２は、前後方向Ｙに延びるとともに、左右方向Ｘに間隔を空けて配置されている。このように第１配線３１と第２配線３２とは、互いに交差するように延びており、上下方向Ｚから見て複数の交点を形成している。
【００５２】
第１配線３１には、所定の駆動信号が入力される。駆動信号は、パルス電流（パルス電圧）などである。第１配線３１と第２配線３２との交点はコンデンサーとして作用するため、第１配線３１に入力された駆動信号に応じた出力信号（電流・電圧）が第２配線３２に出力される。出力信号は、使用者が第１配線３１と第２配線３２との交点近傍を触れることによる、当該交点における静電容量の変化に応じて変動する。したがって、第２配線３２に出力される出力信号を検出することで、使用者が触れた部位を特定することができる。つまり、第１配線３１は駆動信号が入力される入力側電極であり、第２配線３２は出力信号が出力される出力側電極である。
【００５３】
少なくとも一部の第１配線３１は、左右方向Ｘに延びる直線部３１ａと、曲げ部３１ｂと、を有している。曲げ部３１ｂは、略直交する方向に曲がっている。より詳しくは、曲げ部３１ｂは、直線部３１ａの左右方向Ｘにおける両端部に設けられており、前後方向Ｙに向けて曲げられている。直線部３１ａは、第２配線３２との間で交点を形成している。曲げ部３１ｂは、第２配線３２との間で交点を形成していない。このため、曲げ部３１ｂはタッチセンサとして機能しない。
【００５４】
膜状部材３０には、グランド部Ｇが形成されている。グランド部Ｇはグランド（接地回路）に接続されており、第１配線３１よりも第２透明板５に近い位置に配置されている。なお、グランド部Ｇを、膜状部材３０の中の第２配線３２と同一の層に形成してもよい。曲げ部３１ｂは、グランド部Ｇによって覆われている。グランド部Ｇは、配線３１、３２と同様に、幅１０μｍ以下の銅線（金属細線）やＩＴＯのタイルにより形成され、目視で視認されない。第２透明板５と曲げ部３１ｂとの間に位置するグランド部Ｇによって、曲げ部３１ｂとグランド部Ｇとの間で静電容量変化が生じることが抑制される。したがって、例えば第２透明板５のうち曲げ部３１ｂを覆っている部分を使用者が触れたとしても、検出した静電容量変化による誤作動を抑止することができる。
【００５５】
第２配線３２は、第１配線３１よりも第２透明板５側に位置している。第２配線３２は、膜状部材３０における第２透明板５側の表面に形成されている。第１配線３１は、膜状部材３０における第１透明板４側の表面に形成されている。なお、例えば第１配線３１が形成された絶縁体膜と、第２配線３２が形成された絶縁体膜と、を重ね合わせることで１つの膜状部材３０を構成してもよい。つまり、膜状部材３０は、１つの層により構成されてもよいし、複数の層が重ね合わされることで構成されてもよい。
【００５６】
第２配線３２の−Ｙ側の端部と、第１配線３１の曲げ部３１ｂの−Ｙ側の端部とはそれぞれ、引き出し線３３に接続されている。引き出し線３３は、透明なタッチセンサとして機能する部分ではないため、視認可能であってもよい。例えば配線３１、３２が銅細線により構成されている場合、引き出し線３３は配線３１、３２よりも幅の大きい（例えば１０μｍを超える）銅線であってもよい。図９に示すように、引き出し線３３は、ディスプレイ６と重なる部分において集合されて、配線集約部３４を構成している。配線集約部３４は、不図示のプリント基板またはマザーボードなどに電気的に接続されている。
【００５７】
ここで先述の通り、膜状部材３０は、第２透明板５の全面にわたって設けられている。また、第１透明板４はディスプレイ６の表示面を覆い、第２透明板５はディスプレイ６の非表示面を覆っている。したがって、図７に示すように、第１透明板４、第２透明板５、および膜状部材３０は、ディスプレイ６の表示面側（−Ｙ側）から見て、ディスプレイ６に重なる第１領域Ｐ１と、ディスプレイ６に重ならない第２領域Ｐ２とを有している。そして、膜状部材３０のうち、タッチセンサ３ｂ（タッチセンサ部）が第２領域Ｐ２に配置され、配線集約部３４が第１領域Ｐ１に配置されている。
なお、第２領域Ｐ２のうち、第１領域Ｐ１よりも−Ｚ側の部分（ヒンジ２５に近い部分）にタッチセンサ３ｂが配置されている。第２領域Ｐ２は、透明領域Ａの一部を構成している。
【００５８】
（作用）
以上説明したように、本実施形態の電子機器１は、ディスプレイ６と、ディスプレイ６を挟む第１透明板４および第２透明板５と、を備えている。また、ディスプレイ６は透明領域Ａにより囲われている。このため、ディスプレイ６が宙に浮いているような外観にすることができる。
【００５９】
そして、膜状部材３０のうち、タッチセンサ部３ｂは第２領域Ｐ２に配置され、配線集約部３４は第１領域Ｐ１に配置されている。この構成により、ディスプレイ６を表示面側から見たとき、配線集約部３４をディスプレイ６の背後に隠して視認されなくすることができる。このように、従来のように配線集約部を有色のベゼルにより隠すのではなく、ディスプレイ６の背後に隠すことで、より確実にディスプレイ６を宙に浮いた外観とすることができる。
【００６０】
また、膜状部材３０が第２透明板５の全面を覆っているため、膜状部材３０の輪郭線が透明領域Ａのなかで視認されてしまうことを抑制できる。したがって、ディスプレイ６がより確実に浮いているような外観となり、第２本体部３の外観をより良好にすることができる。さらに、第２透明板５が割れたときに、第２透明板５の破片が飛散することを全面にわたって抑制できる。
【００６１】
また、第２透明板５は、少なくとも一部が第１領域Ｐ１に重なる有色層５ａを有している。これにより、第２本体部３を第２透明板５側（ディスプレイ６の非表示面側）から見たときに、配線集約部３４を有色層５ａにより隠して、美感をより向上させることができる。なお、有色層５ａは配線集約部３４のみを隠すように形成されてもよいし、ディスプレイ６の非表示面の全体を隠すように形成されてもよい。
また、膜状部材３０のタッチセンサ部３ｂにおいて、第１配線３１は略直交する方向に曲がった曲げ部３１ｂを経由して配線集約部３４に電気的に接続されている。この構成により、図９に示すように、配線集約部３４に至るまでの引き出し線３３の経路も第１領域Ｐ１に位置させて、引き出し線３３を視認されなくすることができる。
【００６２】
また、第１本体部２には、第２本体部３が第１本体部２に重ねられたときに、透明領域Ａを通して視認可能なサブディスプレイ２ｂが設けられている。タッチセンサ３ｂは、第２本体部３が第１本体部２に重ねられたときに、サブディスプレイ２ｂに重なる。したがって、使用者は、タッチセンサ３ｂおよびサブディスプレイ２ｂを１つのタッチパネルとして操作することができる。
【００６３】
また、少なくとも一部の第１配線３１には、当該第１配線３１が延びる第１方向（左右方向Ｘ）の端部において、第１方向に略直交する第２方向（前後方向Ｙ）に曲がった曲げ部３１ｂが形成されている。このため、ディスプレイ６と重なる部分（第１領域Ｐ１）で第１配線３１と引き出し線３３とを接続することが可能となっており、引き出し線３３が見えてしまうことが抑えられる。つまり、透明領域Ａで引き出し線３３の一部が視認されることが抑制され、より確実にディスプレイ６が浮いた外観とすることができる。
【００６４】
また、第１配線３１および第２配線３２を、幅１０μｍ以下の金属細線または透明導電材により構成することで、第１配線３１および第２配線３２が肉眼で視認されなくすることができる。したがって、透明領域Ａ（第２領域Ｐ２）の透明性をより高めることができる。
【００６５】
また、曲げ部３１ｂがディスプレイ６の非表示面側（第２透明板５側）からグランド部Ｇによって覆われている。このため、タッチセンサ３ｂとして機能しない曲げ部３１ｂと、その近傍の第２配線３２との間で静電容量の変化が生じることが抑制される。これにより、第２透明板５のうち曲げ部３１ｂを覆っている部分に使用者が触れたときの、タッチセンサ３ｂの誤作動を抑制することができる。
【００６６】
なお、本発明の技術的範囲は前記実施の形態に限定されず、本発明の趣旨を逸脱しない範囲において種々の変更を加えることが可能である。
【００６７】
例えば、前記実施形態では、第２本体部３と第１本体部２とがヒンジ２５回りに回動可能に連結されていたが、第２本体部３と第１本体部２とがスライド移動するように構成されていてもよい。あるいは、第２本体部３が第１本体部２に対して取り外し可能に構成されていてもよい。
これらの場合でも、第２本体部３の閉状態とは、第２本体部３と第１本体部２とが重ね合わされた状態をいい、第２本体部３の開状態とは、第２本体部３が閉状態から所定量以上移動し、サブディスプレイ２ｂが露出した状態をいう。
【００６８】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００６９】
１…電子機器  ２…第１本体部  ２ｂ…サブディスプレイ  ３…第２本体部  ４…第１透明板  ５  ５ａ…有色層  ６…ディスプレイ  ３ｂ…タッチセンサ（タッチセンサ部）  ２５…ヒンジ  ３０…膜状部材  ３１…第１配線  ３１ｂ…曲げ部  ３２…第２配線  ３４…配線集約部  Ｇ…グランド部  Ｐ１…第１領域  Ｐ２…第２領域
【図１】
2020035317.tif 000003
【図２】
2020035317.tif 000004
【図３】
2020035317.tif 000005
【図４】
2020035317.tif 000006
【図５】
2020035317.tif 000007
【図６】
2020035317.tif 000008
【図７】
2020035317.tif 000009
【図８】
2020035317.tif 000010
【図９】
2020035317.tif 000011